(57)【要約】【課題】背受け部材を支持する部分の支持剛性を効率良く高めることのできる椅子を提供する。【解決手段】背凭れは、着座者の背部から荷重を受ける背受け部材と、背受け部材の背部に取り付けられる背凭れフレーム１２と、を有する。背凭れ連結部材は上方側に延出する上方延出部４０を有する。背凭れフレーム１２には、上方延出部４０が下方から挿入されて収容される収容空間４１と、収容空間４１に収容された上方延出部４０の前面に沿って延出し、上方延出部４０の前面が当接する前部支持壁２８と、を設ける。背受け部材の下縁部は、前部支持壁２８の前面側に配置し、相互に重ね合せられた前部支持壁２８と上方延出部４０とに結合する。【選択図】図４
2015217047.tif 000002
【特許請求の範囲】
【請求項１】
支持構造体と、
前記支持構造体に支持される座と、
前記座に着座した着座者の背部を支持する背凭れと、
一端が前記支持構造体に支持され、他端に前記背凭れが取り付けられる背凭れ連結部材と、を備えた椅子において、
前記背凭れは、着座者の背部から荷重を受ける背受け部材と、前記背受け部材の背部に取り付けられる背凭れフレームと、を有し、
前記背凭れ連結部材は上方側に延出する上方延出部を有し、
前記背凭れフレームには、前記上方延出部が下方から挿入されて収容される収容空間と、前記収容空間に収容された前記上方延出部の前面に沿って延出し、前記上方延出部の前面が当接する前部支持壁と、が設けられ、
前記背受け部材の一部は、前記前部支持壁の前面側に配置され、相互に重ね合せられた前記前部支持壁と前記上方延出部とに結合されていることを特徴とする椅子。
【請求項２】
前記背受け部材は、下縁部が前記前部支持壁の前面側に配置され、相互に重ね合せられた前記前部支持壁と前記上方延出部とに結合され、
前記背受け部材の下縁部のうちの、前記前部支持壁と前記上方延出部との結合部は、前記座の後端面に対向する位置に設けられていることを特徴とする請求項１に記載の椅子。
【請求項３】
前記背受け部材は、下縁部が前記前部支持壁の前面側に配置され、相互に重ね合せられた前記前部支持壁と前記上方延出部とに結合され、
前記背受け部材の下縁部のうちの、前記前部支持壁と前記上方延出部との結合部は、前記背受け部材の荷重受け面の一般部に対して後方側に凹状に窪んだ部位に設けられていることを特徴とする請求項１または２に記載の椅子。
【請求項４】
前記背受け部材の下縁部は、前記上方延出部と前部支持壁を前後方向に貫通するボルトが、前記下縁部に係止されたナットに螺合されることにより、前記上方延出部と前部支持壁に結合されていることを特徴とする請求項１〜３のいずれか１項に記載の椅子。
【請求項５】
前記ナットの前面側は、前記背受け部材の前面側を覆うカバー部材によって被覆されていることを特徴とする請求項４に記載の椅子。
【請求項６】
前記背凭れフレームの後壁のうちの、前記前部支持壁の後面に対向する部位には、前記背受け部材の一部と前記前部支持壁及び前記上方延出部を結合するための作業孔が設けられ、当該作業孔が脱着可能な閉塞部材によって閉塞されていることを特徴とする請求項１〜５のいずれか１項に記載の椅子。
【請求項７】
前記作業孔は、前記背凭れフレームの下縁の後壁のうちの最も後方に膨出する部分に設けられていることを特徴とする請求項６に記載の椅子。
【発明の詳細な説明】
【技術分野】
【０００１】
この発明は、背凭れの取付け部の構造を改良した椅子に関するものである。
【背景技術】
【０００２】
事務用等として用いられる椅子は、脚柱の上部に支持構造体が連結され、その支持構造体に着座者の臀部を支持する座と、着座者の背部を支持する背凭れと、が取り付けられている。この種の椅子の多くは、背凭れが、着座者の背部から荷重を受ける背板等の背受け部材と、背受け部材の背部に取り付けられる背凭れフレームと、を備えている。そして、背受け部材と背凭れフレームとは凹凸嵌合やビス止め等によって相互に連結されている（特許文献１参照）。
【０００３】
特許文献１に記載の椅子は、背受け部材の上方側の左右の側縁部が、凹凸嵌合によって若干の揺動変位を許容した状態で背凭れフレームの左右の側縁部に取り付けられ、背凭れ部材の下端部には、背凭れフレームの湾曲部の上面に当接する舌片状の下端取付部が延設されている。下端取付部は、背凭れフレームの湾曲部の上面に当接した状態において、その湾曲部の上面にビス止めによって固定されている。
【先行技術文献】
【特許文献】
【０００４】
【特許文献１】特許第５４０８６４３号公報
【発明の概要】
【発明が解決しようとする課題】
【０００５】
上記従来の椅子においては、着座者が背受け部材に凭れたときに着座者から背受け部材に入力された荷重が、上部側の左右の両縁部の凹凸嵌合部と、下端取付部のビス止め部分に作用する。特に、背凭れフレームが支持構造体部分を中心として後下方に傾動しようとするときには、背受け部材から背凭れフレーム側に大きな荷重が作用する。
このため、上記従来の椅子においては、背受け部材を支持する部分の支持剛性を高めることが重要となるが、背受け部材を支持する部分の支持剛性を高めるために背凭れフレーム全体の肉厚を厚くすると、背凭れフレーム全体が大型・重量化し易い等の不具合を生じる。
【０００６】
そこでこの発明は、背受け部材を支持する部分の支持剛性を効率良く高めることのできる椅子を提供しようとするものである。
【課題を解決するための手段】
【０００７】
この発明に係る椅子は、上記課題を解決するために、支持構造体と、前記支持構造体に支持される座と、前記座に着座した着座者の背部を支持する背凭れと、一端が前記支持構造体に支持され、他端に前記背凭れが取り付けられる背凭れ連結部材と、を備えた椅子において、前記背凭れは、着座者の背部から荷重を受ける背受け部材と、前記背受け部材の背部に取り付けられる背凭れフレームと、を有し、前記背凭れ連結部材は上方側に延出する上方延出部を有し、前記背凭れフレームには、前記上方延出部が下方から挿入されて収容される収容空間と、前記収容空間に収容された前記上方延出部の前面に沿って延出し、前記上方延出部の前面が当接する前部支持壁と、が設けられ、前記背受け部材の一部は、前記前部支持壁の前面側に配置され、相互に重ね合せられた前記前部支持壁と前記上方延出部とに結合されるようにした。
【０００８】
これにより、背凭れフレームの収容空間内に背凭れ連結部材の上方延出部が収容配置され、背凭れ連結部材の上方延出部の前面に背凭れフレームの前部支持壁が当接する。背受け部材の一部は、この状態で相互に重ねられた背凭れフレーム側の前部支持壁と背凭れ連結部材側の上方延出部とに結合される。したがって、背受部材の一部は、相互に重ねられることで剛性の高められた前部支持壁と上方延出部とによって支持されることになる。
【０００９】
前記背受け部材は、下縁部が前記前部支持壁の前面側に配置され、相互に重ね合せられた前記前部支持壁と前記上方延出部とに結合され、前記背受け部材の下縁部のうちの、前記前部支持壁と前記上方延出部との結合部は、前記座の後端面に対向する位置に設けられるようにしても良い。
この場合、背受け部材の下縁部の前部支持壁と上方延出部との結合部の前方側が座によって覆い隠されることになる。このため、背受け部材の下縁部のうちの、前部支持壁と上方延出部との結合部が前方側から見えにくくなり、椅子の外観品質が向上する。
【００１０】
前記背受け部材は、下縁部が前記前部支持壁の前面側に配置され、相互に重ね合せられた前記前部支持壁と前記上方延出部とに結合され、前記背受け部材の下縁部のうちの、前記前部支持壁と前記上方延出部との結合部は、前記背受け部材の荷重受け面の一般部に対して後方側に凹状に窪んだ部位に設けられるようにしても良い。
この場合、背受け部材の下縁部の前部支持壁と上方延出部との結合部が凹状に窪んだ部分の内側に配置され、外部から見えにくくなる。これにより、椅子の外観品質が向上する。
【００１１】
前記背受け部材の下縁部は、前記上方延出部と前部支持壁を前後方向に貫通するボルトが、前記下縁部に係止されたナットに螺合されることにより、前記上方延出部と前部支持壁に結合されるようにしても良い。
この場合、背受け部材の下縁部が、ボルトとナットによる締結によって前部支持壁と上方延出部方向に強く引き寄せられる力を受けて固定される。また、背受け部材の下縁部は、ナットと前部支持壁及び上方延出部とに強く挟持されて支持されることになる。したがって、背受け部材はより高い剛性をもって支持されるようになる。
【００１２】
前記ナットの前面側は、前記背受け部材の前面側を覆うカバー部材によって被覆されるようにしても良い。
この場合、ナットの前面側がカバー部材によって覆い隠されることになり、椅子の外観品質をより高めることが可能になる。
【００１３】
前記背凭れフレームの後壁のうちの、前記前部支持壁の後面に対向する部位には、前記背受け部材の一部と前記前部支持壁及び前記上方延出部を結合するための作業孔が設けられ、当該作業孔が脱着可能な閉塞部材によって閉塞されるようにしても良い。
この場合、背受け部材の一部と、前部支持壁と上方延出部とは、背凭れフレームの後壁の作業孔を通して結合されるようになり、その結合作業後には、作業孔が閉塞部材によって閉塞される。したがって、作業孔を通して結合作業を容易に行うことができるとともに、結合作業後には、結合部を閉塞部材で遮蔽して椅子の外観品質を高めることができる。
【００１４】
前記作業孔は、前記背凭れフレームの下縁の後壁のうちの最も後方に膨出する部分に設けられることが望ましい。
この場合、作業孔を通して、背受けの一部と前部支持壁及び上方延出部とを、作業位置を確認しながらより容易に結合することができる。
【発明の効果】
【００１５】
この発明によれば、背受け部材の一部が、背凭れフレームに設けられた前部支持壁と、背凭れフレームの収容空間内に収容配置されて前部支持壁の後面に当接する背凭れ連結部材側の上方延出部とに結合されるため、背凭れフレーム全体の不要な肉厚増加等を招くことなく、背受け部材を支持する部分の支持剛性を効率良く高めることができる。
【図面の簡単な説明】
【００１６】
【図１】この発明の一実施形態に係る椅子の右側面図である。
【図２】この発明の一実施形態に係る椅子の背面図である。
【図３】この発明の一実施形態に係る椅子の図２のＩＩＩ−ＩＩＩ断面に対応する断面図である。
【図４】この発明の一実施形態に係る椅子の図３のＩＶ部の拡大図である。
【図５】この発明の一実施形態に係る椅子の図３のＶ−Ｖ断面に対応する断面図である。
【図６】この発明の一実施形態に係る椅子の図３のＶＩ−ＶＩ断面に対応する断面図である。
【図７】この発明の一実施形態に係る椅子の図３のＶＩＩ−ＶＩＩ断面に対応する断面図である。
【図８】この発明の一実施形態の背凭れと背凭れ連結部材を連結した状態で前部下方側から見た斜視図である。
【図９】この発明の一実施形態の背凭れフレームを背凭れ連結部材と連結した状態で前部下方側から見た斜視図である。
【図１０】この発明の一実施形態の背板を後部下方側から見た斜視図である。
【図１１】この発明の一実施形態の背凭れ連結部材の右側面図である。
【図１２】この発明の一実施形態の背凭れ連結部材を後部下方側から見た斜視図である。
【図１３】この発明の一実施形態の背凭れと背凭れ連結部材の分解斜視図である。
【図１４】この発明の一実施形態に係る椅子の組み付け工程を説明するための右側面図である。
【図１５】この発明の一実施形態に係る椅子の組み付け工程を説明するための右側面図である。
【図１６】この発明の一実施形態に係る椅子の組み付け工程を説明するための斜視図である。
【図１７】この発明の一実施形態に係る椅子の組み付け工程を説明するための右側面図である。
【図１８】この発明の一実施形態に係る椅子の組み付け工程を説明するための斜視図である。
【図１９】この発明の他の実施形態に係る椅子を後部斜め上方側から斜視図である。
【発明を実施するための形態】
【００１７】
以下、この発明の一実施形態を図面に基づいて説明する。なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１８】
図１は、この実施形態に係る椅子１の右側面を示す図であり、図２は、椅子１の背面を示す図である。また、図３は、椅子１の図２のＩＩ−ＩＩ断面に対応する縦断面図である。
これらの図に示すように、この実施形態に係る椅子１は、フロア上に載置される脚部２と、脚部２の上端に設置されるボックス状の支基３と、支基３の上面側に取り付けられて着座者の臀部を支持する座４と、座４の後方側に配置されて着座者の背部を支持する背凭れ５と、支基３と背凭れ５を連結する背凭れ連結部材である連結ステー６と、座４の下面側の左右の両側部から座４の上方側に延出し、着座者の肘や腕先が載せ置かれる肘掛け７と、を備えている。なお、この実施形態においては、支基３が座４や背凭れ５等の荷重を支持する支持構造体を構成している。
【００１９】
脚部２は、キャスタ９ａ付きの多岐脚９と、多岐脚９の中央部より起立し昇降機構であるガススプリングを内蔵する脚柱１０と、を備え、脚柱１０の上端部に支基３が水平方向に回転可能に取り付けられている。支基３には、脚柱１０の昇降調整機構と背凭れ５の傾動調整機構が内蔵されている。
【００２０】
図４は、図３のＩＶ部を拡大して示した図であり、図５，図６，図７は、図３のＶ−Ｖ断面、ＶＩ−ＶＩ断面、ＶＩＩ−ＶＩＩ断面にそれぞれ対応する断面を示す図である。
背凭れ５は、これらの図にも示すように、着座者の背部から荷重を受ける背受け部材である背板１１と、背板１１の背部に取り付けられる強度部材である背凭れフレーム１２と、を有している。
【００２１】
図８は、背凭れ５を連結ステー６と連結した状態でこれらを前部下方側から見た図であり、図９は、背凭れフレーム１２を連結ステー６と連結した状態でこれらを前部下方側から見た図である。また、図１０は、背板１１を後部下方側から見た図である。
背板１１は、図２，図８，図１０に示すように、樹脂材料によって正面視が縦長の略矩形形状に形成されている。また、背板１１は、図１，図３に示すように着座者の腰部に対応する位置（下から三分の一程度上方に上がった位置）が最も前方側に膨出するように上下方向に沿って湾曲して形成されている。背板１１は、上縁部１１ａ及び下縁部１１ｂと、左右両側の側縁部１１ｃ，１１ｄを残し、中央領域に所定パターンの複数の長孔９３…が形成されている。背板１１は、この複数の長孔９３…により、着座者の背部から荷重が入力されたときに中央領域の柔軟な変形を許容する。
【００２２】
背板１１は、図２，図１０に示すように略上半部の左右幅が略下半部の左右幅よりも広く形成され、略上半部の左右の側辺は略平行となって形成されている。背板１１の略上半部側の左右の側縁部１１ｃ，１１ｄには、図５，図６，図１０に示すように、後述する背凭れフレーム１２と連結するための上部側の第１係合凹部１３（背受け側嵌合部）と、下部側の第２係止凸部１４（背受け側嵌合部）が一体に設けられている。第１係合凹部１３と第２係止凸部１４は、左右の側縁部１１ｃ，１１ｄの後面側に突出して設けられている。
【００２３】
第１係合凹部１３は、図５に示すように、略Ｃ字状断面が上下方向に所定長さ連続する溝状に形成されている。第１係合凹部１３の溝は後方側に向かって開口している。一方、第２係止凸部１４は、図６に示すように、円形断面部が幅の狭い棒状の支柱部に支持された断面形状に形成され、その断面が上下方向に所定長さ連続している。これらの第１係合凹部１３と第２係止凸部１４とは、後に詳述する背凭れフレーム１２側の第１係止凸部１５（支持部材側嵌合部）と第２係合凹部１６（支持部材側嵌合部）とにそれぞれ嵌合されるようになっている。
【００２４】
また、背板１１の左右の側縁部１１ｃ，１１ｄには、第１係合凹部１３や第２係止凸部１４よりも幅方向外側位置から後方側に向かって緩やかに屈曲し、側面視で、第１係合凹部１３や第２係止凸部１４よりも後方側位置まで延出する遮蔽壁１７が設けられている。この遮蔽壁１７は、後に詳述するように背凭れ５を側方から見たときに、第１係合凹部１３や第２係止凸部１４が外部から見えないように、側部外側から覆い隠すように機能する。
【００２５】
幅方向左右の各遮蔽壁１７は、背板１１の中央領域の上端部よりも下方に離間した位置に設けられている。特に、この実施形態においては、各遮蔽壁１７の上部辺は遮蔽壁１７の延出方向に向かって下方に傾斜している。したがって、これにより背板１１の中央領域の上端部は、各遮蔽壁１７の延出端に対してより大きく離間されている。
【００２６】
背板１１の下縁部１１ｂの幅方向の中央部には、図３，図４，図７，図１０等に示すように、後方側に半球状に膨出するボス部１８が一体に形成されている。このボス部１８の前面側には、背板１１の前面側の荷重受け面の一般部に対して凹状に窪む窪み部１９が設けられている。ボス部１８には前後方向に貫通するボルト挿通孔２０が形成され、ボルト挿通孔２０の窪み部１９側に寄った位置にはナット２１が埋設されている。また、背板１１の下縁部１１ｂのうちの窪み部１９の形成される位置は、座４の後面と対向する位置とされ、椅子１を前方側から見たときに窪み部１９やその内部の構造が座４によって隠されるようになっている。
【００２７】
背凭れフレーム１２は、図２，図９に示すように、正面視が下向きの略五角形状の枠状フレーム部１２Ａと、枠状フレーム部１２Ａの下端から下方に延出した後に前方側に湾曲して延びる連結フレーム部１２Ｂと、を備えている。この実施形態の背凭れフレーム１２においては、図２に示すように、後面視で前方の背板１１の露出する内側開口部９２が枠状フレーム部１２Ａの内側領域に形成されている。
【００２８】
枠状フレーム部１２Ａの左右の側辺１２Ａｃ，１２Ａｄは、相互に略平行となるように上下方向に沿って延出している。この側辺１２Ａｃ，１２Ａｄは、背板１１の略上半部の左右の側縁部１１ｃ，１１ｄの後面に対向して配置される。
枠状フレーム部１２Ａの上辺１２Ａａは、側辺１２Ａｃ，１２Ａｄに連結される左右の端部に対し、中央領域が後方側に凹状に湾曲している。上辺１２Ａａの幅方向の中央領域の後面には、図２，図３等に示すように、ヘッドレストやハンガー等のオプション部材を取り付けるための凹部２２が設けられている。この凹部２２は、オプション部材を用いないときには蓋部材２３によって閉塞されている。
【００２９】
図９に示すように、枠状フレーム部１２Ａの左右の側辺１２Ａｃ，１２Ａｄと連結フレーム部１２Ｂの前面側には、各側辺１２Ａｃ，１２Ａｄから連結フレーム部１２Ｂに連続する一対の外縁リブ２４が突設されている。この外縁リブ２４は、左右の各側辺１２Ａｃ，１２Ａｄと連結フレーム部１２Ｂの底面に対して略直交方向に突出しており、各側辺１２Ａｃ，１２Ａｄから連結フレーム部１２Ｂに亘る領域の強度の向上が図られている。
また、枠状フレーム部１２Ａの左右の側辺１２Ａｃ，１２Ａｄと、各側辺１２Ａｃ，１２Ａｄの下端に連続する傾斜辺１２Ａｅ，１２Ａｆの幅方向内側の端部には、前方側に向かって突出する補強リブである内縁リブ２５（内側遮蔽壁）が連続して形成されている。
【００３０】
枠状フレーム部１２Ａの左右の側辺１２Ａｃ，１２Ａｄの上端側の各前面には、背板１１の側縁部１１ｃ，１１ｄの上部側の第１係合凹部１３に嵌合される第１係止凸部１５が突設され、左右の側辺１２Ａｃ，１２Ａｄの下端側の各前面には、背板１１の側縁部１１ｃ，１１ｄの下部側の第２係止凸部１４に嵌合される第２係合凹部１６が突設されている。
【００３１】
第１係止凸部１５は、図５に示すように、円形断面部が幅の狭い棒状の支柱部に支持された断面形状に形成され、その断面が上下方向に所定長さ連続している。一方、第２係合凹部１６は、図６に示すように、略Ｃ字状断面が上下方向に所定長さ連続する溝状に形成されている。第２係合凹部１６の溝は前方側に向かって開口している。
【００３２】
ここで、図９に示すように、左右の側辺１２Ａｃ，１２Ａｄに形成される外縁リブ２４と内縁リブ２５の上端部には、これらに略直交するように前方側に突出する端部壁２６が一体に連設されている。上方側の第１係止凸部１５の各下端部は端部壁２６の上面と連続して一体に形成されている。
一方、左右の側辺１２Ａｃ，１２Ａｄの下端側に設けられる第２係合凹部１６は、図６，図９に示すように、外縁リブ２４よりも幅方向外方側に配置されている。
【００３３】
枠状フレーム部１２Ａから連結フレーム部１２Ｂの前面側まで延出した一対の外縁リブ２４の間には、連結フレーム部１２Ｂの底壁にも結合された連結ブロック２７が結合されている。この連結ブロック２７は、連結フレーム部１２Ｂの底壁と一対の外縁リブ２４に連結される複数の横リブ（符号省略）と、横リブ間を縦方向に連結する一対の縦リブ（符号省略）とを備えている。連結ブロック２７の幅方向中央領域には、図３，図４，図７等に示すように、連結フレーム部１２Ｂの底壁側との間に後述する連結ステー６の上方延出部４０を収容配置するための収容空間４１が形成されている。また、連結ブロック２７の収容空間４１の前方側には、上下方向に板状に延出する前部支持壁２８が設けられ、連結ブロック２７の収容空間４１の上方側には、連結ステー６の上方延出部４０の上端部が嵌入される貫通孔２９（嵌合係止部）が設けられている。
【００３４】
連結ブロック２７の前部支持壁２８には、図４に示すように、前後方向に貫通する上下一対のボルト挿通孔３０，３１が形成されている。上方側のボルト挿通孔３０には、ナット３２が埋設されている。前部支持壁２８の前面のうちの、下部側のボルト挿通孔３１の延長上位置には、背板１１の下縁部１１ｂのボス部１８が嵌入される半球状の凹部３３が形成されている。
【００３５】
この実施形態の場合、連結フレーム部１２Ｂの下縁の前方側に湾曲して延出する部分は下部支持壁３４を構成し、連結フレーム部１２Ｂの下部支持壁３４と前部支持壁２８の間を連結する部分は連結壁３５を構成している。下部支持壁３４の左右両側には側壁３６，３６が延設され、下部支持壁３４と両側の側壁３６，３６を合わせた断面形状が上方側に開口する略コ字状とされている。この実施形態の場合、下部支持壁３４と両側の側壁３６，３６を合わせた略コ字状断面の上方側の空間部が挿入許容空間３７を構成している。
【００３６】
図１１は、連結ステー６の左側面を示す図であり、図１２は、連結ステー６を後部斜め下方から見た図である。
連結ステー６は、上方側に開口する略コ字状の金属製の前部プレート６Ａと、この前部プレート６Ａの上面に結合された金属製の肉厚の後部片６Ｂと、を備えている。前部プレート６Ａは左右一対の側壁４２，４２が前方側に向かって延出し、これらの側壁４２，４２が支基３内に挿入され、支基３内の図示しない傾動機構に連結されている。
【００３７】
後部片６Ｂは、前部プレート６Ａの上面に結合されるベース部４４と、ベース部４４の後端位置から後部斜め上方に鈍角をなして延出する傾斜連結部４５と、傾斜連結部４５の後端位置から上方側に屈曲して延出する前述の上方延出部４０と、を有している。なお、この実施形態の場合、前部プレート６Ａと後部片６Ｂのベース部４４とが、支持構造体である支基３から座４の後方側に延出する後方延出部を構成している。
また、この実施形態においては、後部片６Ｂの傾斜連結部４５は屈曲部を持たない平坦な形状に形成されており、ベース部４４と上方延出部４０を二段階に屈曲したかたちで接続している。しかし、傾斜連結部４５は、ベース部４４と上方延出部４０を三段階以上に屈曲して接続する構造であっても良く、さらに、円弧状に湾曲してベース部４４と上方延出部４０を滑らかに接続する構造であっても良い。
【００３８】
後部片６Ｂの傾斜連結部４５は、ベース部４４とほぼ同幅に形成されているが、上方延出部４０はベース部４４や傾斜連結部４５に比較して狭い幅に形成されている。そして、上方延出部４０の上端部には、段差状に幅の狭まったガイド突起４６が突設されている。このガイド突起４６は、上方延出部４０が背凭れフレーム１２側の収容空間４１内に収容配置されるときに、連結ブロック２７の上壁の貫通孔２９に嵌入される。こうして、ガイド突起４６が貫通孔２９に嵌入される際には、ガイド突起４６が所定長嵌入されたところで、ガイド突起４６と上方延出部４０の一般部との間の段差部４７が貫通孔２９の下縁に当接する。この実施形態においては、段差部４７と貫通孔２９の下縁とが、背凭れ５の組み付け時に当該背凭れ５の下方変位を規制する変位規制部を構成している。
【００３９】
ここで、背凭れフレーム１２の下縁の下部支持壁３４は、図３，図４に示すように、連結ステー６の後方延出部である前部プレート６Ａとベース部４４の下面に沿うように前方に延出し、前部プレート６Ａとベース部４４の下面に当接するようになっている。この実施形態の場合、下部支持壁３４は、下方側から前部プレート６Ａとベース部４４の重ね合わせ部に対して左右２本のボルト４９，４９（第２の締結手段）によって締結固定されている。
【００４０】
図１３は、背凭れ５と連結ステー６の結合部分を一部分解して示した図である。
背凭れフレーム１２の前部支持壁２８は、図３，図４，図１３に示すように、連結ステー６の上方延出部４０が収容空間４１に収容配置された状態において、当該上方延出部４０の前面に沿って延出している。そして、前部支持壁２８は、上方延出部４０の前面に当接した状態で、上下２本のボルト５０，５１（第２の締結手段）によって上方延出部４０に締結固定されている。上部側のボルト５０は、上方延出部４０の上方側のボルト挿通孔３０に挿入され、そのボルト挿通孔３０に埋設されたナット３２に螺合される。また、下部側のボルト５１は、上方延出部４０の下方側のボルト挿通孔３１と背板１１のボルト挿通孔２０に挿入され、背板１１のボルト挿通孔２０に埋設されたナット２１に螺合される。
【００４１】
なお、背凭れフレーム１２の下縁の後壁のうちの、前部支持壁２８の後面に対向する位置には、ボルト５０，５１の締結作業を行うための作業孔５２が形成されている。作業孔５２は、上下方向に長い楕円状に形成され、背凭れフレーム１２の収容空間４１を通して前部支持壁２８の後面側を椅子１の後方側に開放するようになっている。作業孔５２は、背凭れフレーム１２の下縁の後壁のうちの最も後方側に膨出する部分に形成されている。作業孔５２は、ボルト５０，５１の締結作業を終えた後には、楕円状の閉塞部材５３が嵌合され、その閉塞部材５３によって閉塞される。
【００４２】
また、背凭れフレーム１２の下縁（連結壁３５）の後壁のうちの、作業孔５２の下方位置から下部支持壁３４に連なる領域は、連結ステー６の傾斜連結部４５にほぼ沿う傾斜部３５ａとされている。
【００４３】
つづいて、この実施形態に係る椅子１の背凭れ５の組み付け方法について図１４〜図１８を参照して説明する。なお、図１，図２に示す肘掛け７は、ユーザーの注文に応じて取り付けられるオプション部品である。以下では、肘掛け７の組み付けについては説明を省略するものとする。
この実施形態に係る椅子１は、背凭れ５、座４、脚部２等が適宜分解された状態で出荷され、これらが店舗やユーザーの自宅等で組み付けられる。
最初に、脚部２と支基３と座４と連結ステー６は、嵌合やボルト締結等によって適宜組み付けられ、図１４に示すように背凭れ５以外の本体部側の部品が一体化される。この状態では、連結ステー６が支基３に取り付けられ、連結ステー６の前部プレート６Ａと後部片６Ｂのベース部４４が座４の後方に向かって略水平に延出し、後部片６Ｂの上方延出部４０が傾斜連結部４５を介して上方側に向きを変えて延出している。
【００４４】
背凭れ５は、連結ステー６に組み付ける前に、背凭れフレーム１２の前面側に背板１１を取り付けておく。このとき、最初に背凭れフレーム１２の枠状フレーム部１２Ａの前面上部の第１係止凸部１５に、背板１１の後面上部の対応する第１係合凹部１３を上方から下方にスライドさせつつ嵌合する。この後、背板１１の上下方向略中央の左右の縁部を枠状フレーム部１２Ａの前面に押し付け、背板１１の後面の第２係合凹部１６を、枠状フレーム部１２Ａの前面の第２係止凸部１４に嵌合する。これにより、背板１１の略上半部は背凭れフレーム１２の枠状フレーム部１２Ａに係止される。また、背板１１の下縁部１１ｂは、その後面側の中央に突設された半球状のボス部１８が背凭れフレーム１２の前部支持壁２８の前面の凹部３３に嵌入される。
【００４５】
次に、図１５，図１６に示すように、支基３に取り付けられた連結ステー６の上方延出部４０に対して背凭れ５を前傾させ、背凭れフレーム１２の下部支持壁３４の上方の挿入許容空間３７を通して、上方延出部４０の上端部を背凭れフレーム１２の収容空間４１内に挿入する。このとき、背凭れフレーム１２は、下部支持壁３４の上面とその両側の側壁３６部分が連結ステー６の上方延出部４０や傾斜連結部４５によってガイドされるため、連結ステー６に対して幅方向と前方に位置決めすることができる。
【００４６】
このとき、連結フレーム部１２Ｂの下部支持壁３４と傾斜部３５ａの上方側は解放されているため、作業者は前部上方側からの連結ステー６の上方延出部４０を目視確認しつつ、その上端部を背凭れフレーム１２の収容空間４１内に容易に挿入することができる。また、このとき背凭れフレーム１２の下縁の後壁の作業孔５２には閉塞部材５３が取り付けられていないため、上方延出部４０の上端部の状態は、図１６に示すように作業孔５２を通しても容易に確認することができる。
【００４７】
次に、この状態から、図１７に示すように、背凭れフレーム１２の下部支持壁３４を連結ステー６のベース部４４と前部プレート６Ａの下面側に潜り込ませるようにして、背凭れ６を起立姿勢方向に傾動させる。これにより、連結ステー６の上方延出部４０が背凭れフレーム１２の前部支持壁２８の後部側に回り込み、その全体が背凭れフレーム１２の収容空間４１内に収容配置される。こうして、上方延出部４０が背凭れフレーム１２の前部支持壁の後面の所定位置の近傍まで相対移動すると、上方延出部４０のガイド突起４６が背凭れフレーム１２側の連結ブロック２７の貫通孔２９に嵌入される。
【００４８】
背凭れ５の起立姿勢方向への傾動により、ガイド突起４６が貫通孔２９に嵌入されると、背凭れフレーム１２が連結ステー６に対して前後方向と幅方向について位置決めされる。また、ガイド突起４６が貫通孔２９内に所定長嵌入されると、上方延出部４０の段差部４７が貫通孔２９の下縁に当接し、それによって背凭れ５の下方変位が連結ステー６によって規制される。このとき、背凭れフレーム１２の下部支持壁３４は、連結ステー６のベース部４４と前部プレート６Ａの各下面に当接し、背凭れフレーム１２の前部支持壁２８は、連結ステー６の上方延出部４０の前面の所定の位置に当接する。つまり、背凭れ５は、このとき連結ステー６に位置決めされた状態で仮係止される。
【００４９】
この後、図１８に示すように、背凭れフレーム１２の下部支持壁３４の下方から当該下部支持壁３４をボルト４９，４９によって連結ステー６の前部プレート６Ａとベース部４４の重ね合わせられた部分に締結固定する。そして、この後に背凭れフレーム１２の下縁の後壁側から作業孔５２を通して、連結ステー６の上方延出部４０をボルト５０，５１によって背凭れフレーム１２側の前部支持壁２８に締結固定する。このとき、上方側のボルト５０は、前部支持壁２８に埋設されたナット３２に螺合され、下方側のボルト５１は、背板１１の下縁部に埋設されたナット２１に螺合される。したがって、背板１１の下縁部は、強度部材である背凭れフレーム１２と連結ステー６の重ね合わせ部分にボルト５１とナット２１によって締結固定される。
この後、背凭れフレーム１２の後部の作業孔５２を閉塞部材５３によって閉塞して椅子１の組み付けを完了する。
【００５０】
以上のように、この実施形態に係る椅子１は、背凭れフレーム１２の収容空間４１内に連結ステー６の上方延出部４０が収容配置され、連結ステー６の上方延出部４０の前面に背凭れフレーム１２の前部支持壁２８が当接した状態において、背板１１の下縁部１１ｂが前部支持壁２８と上方延出部４０とに締結固定されている。このため、背板１１の下縁部１１ｂは、相互に重ねられることによって剛性の高められた前部支持壁２８と上方延出部４０とに支持されることになる。
したがって、この実施形態に係る椅子１においては、背凭れフレーム１２全体の不要な肉厚増加等を招くことなく、背板１１を支持する部分の支持剛性を効率良く高めることができる。
【００５１】
また、この実施形態に係る椅子１においては、背板１１の下縁部１１ｂのうちの、背凭れフレーム１２の前部支持壁２８と連結ステー６の上方延出部４０とのボルト締結部の前面側が座４の後端面に対向して配置されることから、背板１１の下縁部１１ｂの窪み部１９やナット２１が座４によって隠されて前方側から見え難くなる。したがって、この実施形態に係る椅子においては、この構成によって外観品質を向上させることができる。
【００５２】
さらに、この実施形態に係る椅子１の場合、背板１１を前部支持壁２８と上方延出部４０とに結合するためのナット２１が、背板１１の下縁部１１ｂのうちの、前面側の荷重受け面の一般部に対して後方側に凹状に窪む窪み部１９内に設けられているため、背板の側方側からナット２１が見えにくくなる。したがって、この実施形態に係る椅子１においては、この構成によっても外観品質を高めることができる。
【００５３】
また、この実施形態に係る椅子１の場合、背板１１の下縁部１１ｂが、上方延出部４０と前部支持壁２８を貫通するボルト５１を背板１１側のナット２１に螺合することにより、上方延出部４０と前部支持壁２８とに結合されているため、背板１１の下縁部１１ｂが、ボルト５１とナット２１による締結によって前部支持壁２８と上方延出部４０とに強く引き寄せられる力を受けて固定されることになる。また、背板１１の下縁部１１ｂは、このときナットと前部支持壁２８及び上方延出部４０とに強く挟持されて安定的に支持される。
したがって、この実施形態の構造を採用することにより、背板１１を連結ステー６により高い剛性をもって支持させることができる。
【００５４】
また、この実施形態に係る椅子１においては、背凭れフレーム１２の後壁のうちの、前部支持壁２８の後面に対向する位置に、背板１１を前部支持壁２８と上方延出部４０にボルト締結するための作業孔５２が設けられ、その作業孔５２が閉塞部材５３によって閉塞されているため、背板１１を背凭れフレーム１２と連結ステー６にボルト締結する場合には、作業孔５２を通して容易に作業を行うことができる。また、締結作業の終了後には、作業孔５２が閉塞部材５３によって閉塞されるため、締結部が作業孔５２を通して椅子１の後方側から見えなくなる。したがって、この構造を採用することにより、椅子１の外観品質がより向上する。
【００５５】
さらに、この実施形態の場合、背凭れフレーム１２の下縁の後壁のうちの最も後方に膨出する部分に作業孔５２が設けられているため、作業者が作業孔５２を通して締結位置を確認しながら背板１１を前部支持壁２８と上方延出部４０とに容易に締結することができる。
【００５６】
図１９は、他の実施形態に係る椅子１０１を後部上方側から見た図である。
この他の実施形態に係る椅子１０１は、上記の実施形態の椅子１と基本構成はほぼ同様とされているが、背受け部材である背板１１の前面側の外縁部とが、カバー部材５５によって覆われている点が上記の実施形態の椅子１と異なっている。なお、上記の実施形態と同一部分には同一符号を付して重複する説明を省力するものとする。
【００５７】
カバー部材５５は、シート状の樹脂等によって形成され、上縁部と下縁部とに背板１１の上縁部１１ａと下縁部１１ｂとに係止される係止部５５ａ，５５ｂが設けられている。カバー部材５５は、背板１１の前面側をほぼ完全に覆い、上下の係止部５５ａ，５５ｂが背板１１の上縁部１１ａと下縁部１１ｂとに係合されるとともに、左右の側縁部５５ｃ，５５ｄが背板１１と背凭れフレーム１２の隙間に挟持されることにより、背板１１に取り付けられている。
【００５８】
背板１１の下縁部１１ｂの前面に形成される窪み部１９と、その窪み部１９内のナット２１とは、背板１１の前面側を覆うカバー部材５５によって完全に前方側から遮蔽されている。
したがって、この実施形態に係る椅子１０１の場合、窪み部１９やナット２１が完全に外部から見えなくなることから、外観品質をより高めることができる。
【００５９】
なお、この発明は上記の実施形態に限定されるものではなく、その要旨を逸脱しない範囲で種々の設計変更が可能である。
【符号の説明】
【００６０】
１，１０１  椅子
３  支基（支持構造体）
４  座
５  背凭れ
６  連結ステー（背凭れ連結部材）
１１  背板（背受け部材）
１１ｂ  下縁部
１２  背凭れフレーム
２１  ナット
２８  前部支持壁
３４  下部支持壁
４０  上方延出部
４１  収容空間
５１  ボルト
５２  作業孔
５３  閉塞部材
５５  カバー部材
【図１】
2015217047.tif 000003
【図２】
2015217047.tif 000004
【図３】
2015217047.tif 000005
【図４】
2015217047.tif 000006
【図５】
2015217047.tif 000007
【図６】
2015217047.tif 000008
【図７】
2015217047.tif 000009
【図８】
2015217047.tif 000010
【図９】
2015217047.tif 000011
【図１０】
2015217047.tif 000012
【図１１】
2015217047.tif 000013
【図１２】
2015217047.tif 000014
【図１３】
2015217047.tif 000015
【図１４】
2015217047.tif 000016
【図１５】
2015217047.tif 000017
【図１６】
2015217047.tif 000018
【図１７】
2015217047.tif 000019
【図１８】
2015217047.tif 000020
【図１９】
2015217047.tif 000021